(57)【要約】【課題】高品質な画像を得ることが可能である画像形成装置を提供する。【解決手段】画像形成装置は、潜像にトナーを付着させる現像剤担持体を含む現像部と、その現像部により潜像に付着されたトナーを媒体に転写させる転写部と、その転写部により媒体に転写されたトナーを媒体に定着させる定着部とを備える。トナーのガラス転移温度Ｔｇは５５℃以下であり、現像剤担持体の抽出残渣は０．２５％以下であり、現像剤担持体の残留電位変化は２Ｖ以下である。【選択図】図１
2018017916.tif 000002
【特許請求の範囲】
【請求項１】
潜像にトナーを付着させる現像剤担持体を含む現像部と、
前記現像部により前記潜像に付着された前記トナーを媒体に転写させる転写部と、
前記転写部により前記媒体に転写された前記トナーを前記媒体に定着させる定着部と
を備え、
前記トナーのガラス転移温度Ｔｇは、５５℃以下であり、
下記で説明される前記現像剤担持体の抽出残渣は、０．２５％以下であり、
下記で説明される前記現像剤担持体の残留電位変化は、２Ｖ以下である、
画像形成装置。
＜抽出残渣＞
ＪＩＳ  Ｋ  ６２２９（ゴム−溶剤抽出物の求め方（定量））に準拠して、アセトンを用いて現像剤担持体をソックスレー抽出することにより求められる。
＜残留電位変化＞
円筒状の金属素巻に圧接された現像剤担持体に通電しながら、その現像剤担持体を回転させた場合において、通電前における現像剤担持体の残留電位と通電後における現像剤担持体の残留電位との差の絶対値であり、残留電位変化＝｜通電前の残留電位−通電後の残留電位｜により表される。ただし、現像剤担持体に対する金属素巻の押し込み量＝０．５ｍｍ、現像剤担持体の回転速度＝６０ｒｐｍ、現像剤担持体の回転時間＝２４時間、現像剤担持体に対する印加電圧＝１００Ｖとする。
【請求項２】
前記現像剤担持体は、
導電性軸体と、
前記導電性軸体の表面を被覆すると共にイソシアネート化合物を含有する表面改質層を含む導電性弾性層と
を備えた、請求項１記載の画像形成装置。
【請求項３】
前記導電性弾性層は、
前記導電性軸体の表面を被覆すると共に前記イソシアネート化合物とは異なる他のイソシアネート化合物を含有する内部層と、
前記内部層に隣接されると共に前記イソシアネート化合物を含有する前記表面改質層と
を含む、請求項２記載の画像形成装置。
【請求項４】
前記現像部は、さらに、前記現像剤担持体の表面に供給される前記トナーの厚さを規制する規制部材を含む、
請求項１ないし請求項３のいずれか１項に記載の画像形成装置。
【請求項５】
前記現像部は、さらに、前記現像剤担持体に圧接されると共に前記潜像が表面に形成される像担持体を含む、
請求項１ないし請求項４のいずれか１項に記載の画像形成装置。
【請求項６】
前記現像部は、さらに、前記現像剤担持体に圧接されると共に前記現像剤担持体の表面に前記トナーを供給する供給部材を含む、
請求項１ないし請求項５のいずれか１項に記載の画像形成装置。
【請求項７】
前記現像剤担持体のゴム硬度は、ＪＩＳ  Ａ  ５０度以下である、
請求項１ないし請求項６のいずれか１項に記載の画像形成装置。
【請求項８】
潜像にトナーを付着させる現像剤担持体を備え、
前記トナーのガラス転移温度Ｔｇは、５５℃以下であり、
下記で説明される前記現像剤担持体の抽出残渣は、０．２５％以下であり、
下記で説明される前記現像剤担持体の残留電位変化は、２Ｖ以下である、
現像デバイス。
＜抽出残渣＞
ＪＩＳ  Ｋ  ６２２９（ゴム−溶剤抽出物の求め方（定量））に準拠して、アセトンを用いて現像剤担持体をソックスレー抽出することにより求められる。
＜残留電位変化＞
円筒状の金属素巻に圧接された現像剤担持体に通電しながら、その現像剤担持体を回転させた場合において、通電前における現像剤担持体の残留電位と通電後における現像剤担持体の残留電位との差の絶対値であり、残留電位変化＝｜通電前の残留電位−通電後の残留電位｜により表される。ただし、現像剤担持体に対する金属素巻の押し込み量＝０．５ｍｍ、現像剤担持体の回転速度＝６０ｒｐｍ、現像剤担持体の回転時間＝２４時間、現像剤担持体に対する印加電圧＝１００Ｖとする。
【請求項９】
さらに、前記現像剤担持体の表面に供給される前記トナーの厚さを規制する規制部材を備えた、
請求項８記載の現像デバイス。
【請求項１０】
さらに、前記現像剤担持体に圧接されると共に前記現像剤担持体の表面に前記トナーを供給する供給部材を備えた、
請求項８または請求項９に記載の現像デバイス。
【請求項１１】
潜像にトナーを付着させる現像剤担持体を含む現像デバイスと、
前記現像剤担持体に圧接されると共に前記潜像が表面に形成される像担持体と
を備え、
前記トナーのガラス転移温度Ｔｇは、５５℃以下であり、
下記で説明される前記現像剤担持体の抽出残渣は、０．２５％以下であり、
下記で説明される前記現像剤担持体の残留電位変化は、２Ｖ以下である、
現像ユニット。
＜抽出残渣＞
ＪＩＳ  Ｋ  ６２２９（ゴム−溶剤抽出物の求め方（定量））に準拠して、アセトンを用いて現像剤担持体をソックスレー抽出することにより求められる。
＜残留電位変化＞
円筒状の金属素巻に圧接された現像剤担持体に通電しながら、その現像剤担持体を回転させた場合において、通電前における現像剤担持体の残留電位と通電後における現像剤担持体の残留電位との差の絶対値であり、残留電位変化＝｜通電前の残留電位−通電後の残留電位｜により表される。ただし、現像剤担持体に対する金属素巻の押し込み量＝０．５ｍｍ、現像剤担持体の回転速度＝６０ｒｐｍ、現像剤担持体の回転時間＝２４時間、現像剤担持体に対する印加電圧＝１００Ｖとする。
【請求項１２】
潜像にトナーを付着させる現像剤担持体を含む現像デバイスと、
前記現像剤担持体に圧接されると共に前記潜像が表面に形成される像担持体と、
前記トナーを収納する収納部材と
を備え、
前記トナーのガラス転移温度Ｔｇは、５５℃以下であり、
下記で説明される前記現像剤担持体の抽出残渣は、０．２５％以下であり、
下記で説明される前記現像剤担持体の残留電位変化は、２Ｖ以下である、
現像装置。
＜抽出残渣＞
ＪＩＳ  Ｋ  ６２２９（ゴム−溶剤抽出物の求め方（定量））に準拠して、アセトンを用いて現像剤担持体をソックスレー抽出することにより求められる。
＜残留電位変化＞
円筒状の金属素巻に圧接された現像剤担持体に通電しながら、その現像剤担持体を回転させた場合において、通電前における現像剤担持体の残留電位と通電後における現像剤担持体の残留電位との差の絶対値であり、残留電位変化＝｜通電前の残留電位−通電後の残留電位｜により表される。ただし、現像剤担持体に対する金属素巻の押し込み量＝０．５ｍｍ、現像剤担持体の回転速度＝６０ｒｐｍ、現像剤担持体の回転時間＝２４時間、現像剤担持体に対する印加電圧＝１００Ｖとする。
【発明の詳細な説明】
【技術分野】
【０００１】
本発明は、潜像にトナーを付着させる現像剤担持体を備えた現像デバイス、ならびにその現像剤担持体を用いた現像ユニット、現像装置および画像形成装置に関する。
【背景技術】
【０００２】
電子写真方式の画像形成装置が広く普及している。インクジェット方式などの他の方式の画像形成装置と比較して、鮮明な画像が短時間で得られるからである。
【０００３】
電子写真方式の画像形成装置は、現像剤担持体である現像ローラを含む現像装置を備えており、その現像ローラを用いて媒体の表面に画像を形成する。画像の形成工程では、現像ローラの表面にトナーが供給されたのち、その現像ローラによりトナーが潜像に付着される。この潜像に付着されたトナーは、媒体に転写されたのち、その媒体に定着される。
【０００４】
画像形成装置の構成に関しては、既に様々な提案がなされている。具体的には、トナーの温度上昇を防ぐために、トナー画像がドット単位で計数された計数値に応じて、現像ローラに対する印加電圧を変更している（例えば、特許文献１参照。）。
【先行技術文献】
【特許文献】
【０００５】
【特許文献１】特開２０１１−０３９５５５号公報
【発明の概要】
【発明が解決しようとする課題】
【０００６】
トナーの温度上昇に起因する問題を解決するために具体的な検討がなされているが、その対策は未だ十分であるとは言えないため、改善の余地がある。
【０００７】
本発明はかかる問題点に鑑みてなされたもので、その目的は、高品質な画像を得ることが可能である画像形成装置、現像デバイス、現像ユニットおよび現像装置を提供することにある。
【課題を解決するための手段】
【０００８】
本発明の一実施形態の画像形成装置は、潜像にトナーを付着させる現像剤担持体を含む現像部と、その現像部により潜像に付着されたトナーを媒体に転写させる転写部と、その転写部により媒体に転写されたトナーを媒体に定着させる定着部とを備えたものである。トナーのガラス転移温度Ｔｇは５５℃以下であり、下記で説明される現像剤担持体の抽出残渣は０．２５％以下であり、下記で説明される現像剤担持体の残留電位変化は２Ｖ以下である。
【０００９】
＜抽出残渣＞
ＪＩＳ  Ｋ  ６２２９（ゴム−溶剤抽出物の求め方（定量））に準拠して、アセトンを用いて現像剤担持体をソックスレー抽出することにより求められる。
【００１０】
＜残留電位変化＞
円筒状の金属素巻に圧接された現像剤担持体に通電しながら、その現像剤担持体を回転させた場合において、通電前における現像剤担持体の残留電位と通電後における現像剤担持体の残留電位との差の絶対値であり、残留電位変化＝｜通電前の残留電位−通電後の残留電位｜により表される。ただし、現像剤担持体に対する金属素巻の押し込み量＝０．５ｍｍ、現像剤担持体の回転速度＝６０ｒｐｍ、現像剤担持体の回転時間＝２４時間、現像剤担持体に対する印加電圧＝１００Ｖとする。
【００１１】
本発明の一実施形態の現像デバイスは、潜像にトナーを付着させる現像剤担持体を備えたものである。トナーのガラス転移温度Ｔｇは５５℃以下であり、上記した現像剤担持体の抽出残渣（％）は０．２５％以下であり、上記した現像剤担持体の残留電位変化（Ｖ）は２Ｖ以下である。
【００１２】
本発明の一実施形態の現像ユニットは、潜像にトナーを付着させる現像剤担持体を含む現像デバイスと、その現像剤担持体に圧接されると共に潜像が表面に形成される像担持体とを備えたものである。トナーのガラス転移温度Ｔｇは５５℃以下であり、上記した現像剤担持体の抽出残渣（％）は０．２５％以下であり、上記した現像剤担持体の残留電位変化（Ｖ）は２Ｖ以下である。
【００１３】
本発明の一実施形態の現像装置は、潜像にトナーを付着させる現像剤担持体を含む現像デバイスと、その現像剤担持体に圧接されると共に静電潜像が表面に形成される像担持体と、そのトナーを収納する収納部材とを備えたものである。トナーのガラス転移温度Ｔｇは５５℃以下であり、上記した現像剤担持体の抽出残渣（％）は０．２５％以下であり、上記した現像剤担持体の残留電位変化（Ｖ）は２Ｖ以下である。
【００１４】
ここで、「残留電位変化」は、例えば、ＱＥＡ社製の誘電緩和解析システムＤＲＡ−２０００を用いて自動測定される。
【発明の効果】
【００１５】
本発明の一実施形態の画像形成装置、現像デバイス、現像ユニットまたは現像装置によれば、現像剤担持体が潜像にトナーを付着させると共に、トナーのガラス転移温度Ｔｇが５５℃以下、現像剤担持体の抽出残渣が０．２５％以下、現像剤担持体の残留電位変化が２Ｖ以下である。よって、高品質な画像を得ることができる。
【図面の簡単な説明】
【００１６】
【図１】本発明の一実施形態の画像形成装置の構成を表す平面図である。
【図２】図１に示した現像部の構成を拡大して表す平面図である。
【図３】図２に示した現像ローラの構成を表す断面図である。
【図４】画像形成装置の構成を表すブロック図である。
【図５】画質に関する不具合を説明するための平面図である。
【発明を実施するための形態】
【００１７】
以下、本発明の一実施形態に関して、図面を参照して詳細に説明する。なお、説明する順序は、下記の通りである。
１．画像形成装置
１−１．全体構成
１−２．現像部の構成
１−３．現像ローラの構成
１−４．現像ローラの物性
１−５．ブロック構成
１−６．トナーの構成
１−７．動作
１−８．作用および効果
２．変形例
【００１８】
＜１．画像形成装置＞
本発明の一実施形態の画像形成装置に関して説明する。
【００１９】
＜１−１．全体構成＞
まず、画像形成装置の全体構成に関して説明する。
【００２０】
ここで説明する画像形成装置は、例えば、電子写真方式のフルカラープリンタであり、現像剤（いゆわるトナー）を用いて後述する媒体Ｍ（図１参照）の表面に画像を形成する。媒体Ｍの材質は、特に限定されないが、例えば、紙およびフィルムなどのうちのいずれか１種類または２種類以上である。
【００２１】
図１は、画像形成装置の平面構成を表している。この画像形成装置では、媒体Ｍが搬送経路Ｒ１〜Ｒ５に沿って搬送可能である。図１では、搬送経路Ｒ１〜Ｒ５のそれぞれを破線で示している。
【００２２】
具体的には、画像形成装置は、例えば、図１に示したように、筐体１の内部に、トレイ１０と、送り出しローラ２０と、１または２以上の現像部３０と、転写部４０と、定着部５０と、搬送ローラ６１〜６８と、搬送路切り替えガイド７１，７２とを備えている。
【００２３】
［筐体］
筐体１は、例えば、金属材料および高分子材料などのうちのいずれか１種類または２種類以上を含んでいる。筐体１には、画像が形成された媒体Ｍを排出するためのスタッカ部２が設けられており、その画像が形成された媒体Ｍは、筐体１に設けられた排出口１Ｈから排出される。
【００２４】
［トレイおよび送り出しローラ］
トレイ１０は、１または２以上の媒体Ｍを収納している。このトレイ１０は、例えば、筐体１に対して着脱可能に装着されている。送り出しローラ２０は、例えば、Ｙ軸方向に延在する円筒状の部材であり、そのＹ軸を中心として回転可能である。以降において説明する一連の構成要素のうち、名称中に「ローラ」という文言を含んでいる構成要素は、上記した送り出しローラ２０と同様に、Ｙ軸方向に延在していると共にＹ軸を中心として回転可能である。
【００２５】
トレイ１０には、例えば、複数の媒体Ｍが積層された状態で収納されている。このトレイ１０に収納されている複数の媒体Ｍは、例えば、送り出しローラ２０によりトレイ１０から１つずつ取り出される。
【００２６】
トレイ１０の数は、特に限定されないため、１個だけでもよいし、２個以上でもよい。同様に、送り出しローラ２０の数は、特に限定されないため、１個だけでもよいし、２個以上でもよい。図１では、例えば、トレイ１０の数が１個であると共に送り出しローラ２０の数が１個である場合を示している。
【００２７】
［現像部］
現像部３０は、トナーの付着処理（現像処理）を行う現像装置である。具体的には、現像部３０は、主に、潜像（静電潜像）を形成すると共に、クーロン力を利用して静電潜像にトナーを付着させる。
【００２８】
ここでは、画像形成装置は、例えば、４個の現像部３０（３０Ｋ，３０Ｃ，３０Ｍ，３０Ｙ）を備えている。
【００２９】
現像部３０Ｋ，３０Ｃ，３０Ｍ，３０Ｙのそれぞれは、例えば、筐体１に対して着脱可能に装着されていると共に、後述する中間転写ベルト４１の移動経路に沿って配列されている。ここでは、現像部３０Ｋ，３０Ｃ，３０Ｍ，３０Ｙは、例えば、中間転写ベルト４１の移動方向（矢印Ｆ５）において、上流側から下流側に向かってこの順に配置されている。
【００３０】
現像部３０Ｋ，３０Ｃ，３０Ｍ，３０Ｙのそれぞれは、例えば、後述するカートリッジ３９（図２参照）に収納されているトナーの種類（色）が異なることを除いて、互いに同様の構成を有している。現像部３０Ｋ，３０Ｃ，３０Ｍ，３０Ｙのそれぞれの構成に関しては、後述する。
【００３１】
［転写部］
転写部４０は、現像部３０により現像処理されたトナーを用いて転写処理を行う。具体的には、転写部４０は、主に、現像部３０により静電潜像に付着されたトナーを媒体Ｍに転写させる。
【００３２】
この転写部４０は、例えば、中間転写ベルト４１と、駆動ローラ４２と、従動ローラ（アイドルローラ）４３と、バックアップローラ４４と、１または２以上の１次転写ローラ４５と、２次転写ローラ４６と、クリーニングブレード４７とを含んでいる。
【００３３】
中間転写ベルト４１は、媒体Ｍにトナーが転写される前に、そのトナーが一時的に転写される媒体（中間転写媒体）であり、例えば、無端の弾性ベルトなどである。この中間転写ベルト４１は、例えば、ポリイミドなどの高分子材料のうちのいずれか１種類または２種類以上を含んでいる。なお、中間転写ベルト４１は、駆動ローラ４２、従動ローラ４３およびバックアップローラ４４のそれぞれにより張架された状態において、その駆動ローラ４２の回転に応じて移動可能である。
【００３４】
駆動ローラ４２は、例えば、後述するローラモータ９４（図４参照）の駆動力を利用して回転可能である。従動ローラ４３およびバックアップローラ４４のそれぞれは、例えば、駆動ローラ４２の回転に応じて回転可能である。
【００３５】
１次転写ローラ４５は、静電潜像に付着されたトナーを中間転写ベルト４１に転写（１次転写）させる。この１次転写ローラ４５は、中間転写ベルト４１を介して現像部３０（後述する感光体ドラム３５：図２参照）に圧接されている。なお、１次転写ローラ４５は、中間転写ベルト４１の移動に応じて回転可能である。
【００３６】
ここでは、転写部４０は、例えば、上記した４個の現像部３０（３０Ｋ，３０Ｃ，３０Ｍ，３０Ｙ）に対応して、４個の１次転写ローラ４５（４５Ｋ，４５Ｃ，４５Ｍ，４５Ｙ）を含んでいる。また、転写部４０は、１個のバックアップローラ４４に対応して、１個の２次転写ローラ４６を含んでいる。
【００３７】
２次転写ローラ４６は、中間転写ベルト４１に転写されたトナーを媒体Ｍに転写（２次転写）させる。この２次転写ローラ４６は、バックアップローラ４４に圧接されており、例えば、金属製の芯材と、その芯材の表面を被覆する発泡ゴム層などの弾性層とを含んでいる。なお、２次転写ローラ４６は、中間転写ベルト４１の移動に応じて回転可能である。
【００３８】
クリーニングブレード４７は、中間転写ベルト４１に圧接されており、その中間転写ベルト４１の表面に残留した不要なトナーなどを掻き取る。
【００３９】
［定着部］
定着部５０は、転写部４０により媒体Ｍに転写されたトナーを用いて定着処理を行う。具体的には、定着部５０は、例えば、転写部４０により媒体Ｍに転写されたトナーを加熱しながら加圧することにより、そのトナーを媒体Ｍに定着させる。
【００４０】
この定着部５０は、例えば、加熱ローラ５１と、加圧ローラ５２とを含んでいる。
【００４１】
加熱ローラ５１は、媒体Ｍに転写されたトナーを加熱する。この加熱ローラ５１は、例えば、中空円筒状の金属芯と、その金属芯の表面を被覆する樹脂層とを含んでいる。金属芯は、例えば、アルミニウムなどの金属材料のうちのいずれか１種類または２種類以上を含んでいる。樹脂層は、例えば、例えば、テトラフルオロエチレンとパーフルオロアルキルビニルエーテルとの共重合体（ＰＦＡ）およびポリテトラフルオロエチレン（ＰＴＦＥ）などの高分子材料のうちのいずれか１種類または２種類以上を含んでいる。なお、金属芯と樹脂層との間に、例えば、シリコーンゴムなどの耐熱弾性層が介在していてもよい。
【００４２】
加熱ローラ５１（金属芯）の内部には、例えば、後述するヒータ１０２（図４参照）が設置されており、そのヒータ１０２は、例えば、ハロゲンランプなどである。加熱ローラ５１の近傍には、例えば、その加熱ローラ５１から離間されるように、後述するサーミスタ１０３（図４参照）が配置されている。このサーミスタ１０３は、例えば、加熱ローラ５１の表面温度を測定する。
【００４３】
加圧ローラ５２は、加熱ローラ５１に圧接されており、媒体Ｍに転写されたトナーを加圧する。この加圧ローラ５２は、例えば、金属棒などである。金属棒は、例えば、アルミニウムなどの金属材料のうちのいずれか１種類または２種類以上を含んでいる。
【００４４】
［搬送ローラ］
搬送ローラ６１〜６８のそれぞれは、媒体Ｍの搬送経路Ｒ１〜Ｒ５を介して互いに対向するように配置された一対のローラを含んでおり、送り出しローラ２０により取り出された媒体Ｍを搬送させる。
【００４５】
媒体Ｍの片面だけに画像が形成される場合には、その媒体Ｍは、例えば、搬送ローラ６１〜６４により搬送経路Ｒ１，Ｒ２に沿って搬送される。また、媒体Ｍの両面に画像が形成される場合には、その媒体Ｍは、例えば、搬送ローラ６１〜６８により搬送経路Ｒ１〜Ｒ５に沿って搬送される。
【００４６】
［搬送路切り替えガイド］
搬送路切り替えガイド７１，７２は、媒体Ｍに形成される画像の様式（媒体Ｍの片面だけに画像が形成されるか、または媒体Ｍの両面に画像が形成されるか）などの条件に応じて、その媒体Ｍの搬送方向を切り替える。
【００４７】
＜１−２．現像部の構成＞
次に、現像部３０の構成に関して説明する。
【００４８】
なお、本発明の現像デバイスおよび現像ユニットのそれぞれは、本発明の一実施形態の「現像装置」である現像部３０の一部を構成している。よって、本発明の現像デバイスおよび現像ユニットのそれぞれに関しては、以下で併せて説明する。
【００４９】
図２は、図１に示した現像部３０（３０Ｋ，３０Ｃ，３０Ｍ，３０Ｙ）の平面構成を拡大している。
【００５０】
現像部３０は、例えば、図２に示したように、現像ユニット２００と、その現像ユニット２００に対して着脱可能に装着されると共に本発明の一実施形態の「収納部材」であるカートリッジ３９とを備えている。
【００５１】
現像ユニット２００は、例えば、筐体３１の内部に、現像デバイス１００と、本発明の一実施形態の「像担持体」である感光体ドラム３５と、帯電ローラ３６と、クリーニングブレード３７と、光源３８とを含んでいる。この現像デバイス１００は、例えば、本発明の一実施形態の「現像剤担持体」である現像ローラ３２と、本発明の一実施形態の「規制部材」である現像ブレード３３と、本発明の一実施形態の「供給部材」である供給ローラ３４とを含んでいる。
【００５２】
［現像ローラ］
現像ローラ３２は、主に、供給ローラ３４から供給されたトナーを担持すると共に、感光体ドラム３５の表面に形成された静電潜像にトナーを付着させる。現像ローラ３２の構成に関しては、後述する（図３参照）。
【００５３】
［現像ブレード］
現像ブレード３３は、主に、現像ローラ３２の表面に供給されたトナーの厚さを規制する。この現像ブレード３３は、例えば、現像ローラ３２から所定の距離を隔てた位置に配置されている。このため、トナーの厚さは、現像ローラ３２と現像ブレード３３との間の距離（間隔）に基づいて制御される。また、現像ブレード３３は、例えば、ステンレスなどの金属材料のうちのいずれか１種類または２種類以上を含んでいる。
【００５４】
［供給ローラ］
供給ローラ３４は、主に、現像ローラ３２に圧接されており、その現像ローラ３２の表面にトナー３４を供給する。この供給ローラ３４は、例えば、金属シャフトと、その金属シャフトの表面を被覆する半導電性発泡シリコンスポンジ層とを含んでおり、いわゆるスポンジローラである。
【００５５】
［感光体ドラム］
感光体ドラム３５は、主に、静電潜像が表面に形成されるドラムである。この感光体ドラム３５は、例えば、Ｙ軸方向に延在する円筒状の導電性支持体と、その導電性支持体の表面を被覆する光導電層とを含む有機系感光体であり、後述するドラムモータ９６の駆動力を利用して回転可能である。導電性支持体は、例えば、アルミニウムなどの金属材料のうちのいずれか１種類または２種類以上を含む金属パイプなどである。光導電層は、例えば、ブロッキング層、電荷発生層および電荷輸送層などを含む積層体である。なお、感光体ドラム３５の一部は、筐体３１に設けられた開口部３１Ｋ１において露出している。
【００５６】
感光体ドラム３５を含む現像部３０は、例えば、上下に移動可能である。具体的には、現像部３０は、例えば、画像の形成時において、感光体ドラム３５が中間転写ベルト４１に接触するまで下方に移動する。また、現像部３０は、例えば、画像の非形成時において、感光体ドラム３５が中間転写ベルト４１から離間されるように上方に移動する。
【００５７】
［帯電ローラ］
帯電ローラ３６は、主に、感光体ドラム３５に圧接されており、その感光体ドラム３５の表面を帯電させる。この帯電ローラ３６は、例えば、金属シャフトと、その金属シャフトの表面を被覆する半導電性エピクロロヒドリンゴム層とを含んでいる。
【００５８】
［クリーニングブレード］
クリーニングブレード３７は、主に、感光体ドラム３５に圧接されており、その感光体ドラム３５の表面に残留した不要なトナーなどを掻き取る。このクリーニングブレード３７は、例えば、感光体ドラム３５の延在方向と略平行な方向に延在しており、ウレタンゴムなどの高分子材料のうちのいずれか１種類または２種類以上を含んでいる。
【００５９】
［光源］
光源３８は、主に、筐体３１に設けられた開口部３１Ｋ２を通じて感光体ドラム３５の表面を露光することにより、その感光体ドラム３５の表面に静電潜像を形成する露光装置である。この光源３８は、例えば、発光ダイオード（ＬＥＤ）ヘッドなどであり、ＬＥＤ素子およびレンズアレイなどを含んでいる。ＬＥＤ素子およびレンズアレイは、そのＬＥＤ素子から出力された光（照射光）が感光体ドラム３５の表面において結像するように配置されている。
【００６０】
［カートリッジ］
カートリッジ３９は、主に、トナーを収納している。カートリッジ３９に収納されているトナーの種類（色）は、例えば、以下の通りである。
【００６１】
ここでは、例えば、４種類（４色）のトナーが用いられている。具体的には、現像部３０Ｙのカートリッジ３９は、例えば、イエロートナーを収納している。現像部３０Ｍのカートリッジ３９は、例えば、マゼンタトナーを収納している。現像部３０Ｃのカートリッジ３９は、例えば、シアントナーを収納している。現像部３０Ｋのカートリッジ３９は、例えば、ブラックトナーを収納している。
【００６２】
以下では、必要に応じて、「イエロートナー」、「マゼンタトナー」、「シアントナー」および「ブラックトナー」というように色の種類に応じてトナーを区別しながら呼称する。また、必要に応じて、上記した４種類のトナー（イエロートナー、マゼンタトナー、シアントナーおよびブラックトナー）をまとめて「トナー」と総称する。
【００６３】
＜１−３．現像ローラの構成＞
次に、現像ローラ３２の構成に関して説明する。
【００６４】
図３は、図２に示した現像ローラ３２の断面構成を表している。ただし、図３では、ＸＺ面に沿った現像ローラ３２の断面構成を示している。
【００６５】
現像ローラ３２は、例えば、図３に示したように、本発明の一実施形態の「導電性軸体」である金属シャフト３２１と、その金属シャフト３２１の表面（外周面）を被覆する導電性弾性層３２２とを含んでいる。
【００６６】
金属シャフト３２１は、例えば、Ｙ軸方向に延在する円筒状の部材である。この金属シャフト３２１は、例えば、適度な剛性を有する導電性材料のうちのいずれか１種類または２種類以上を含んでおり、その導電性材料は、例えば、金属材料、高分子材料およびセラミック材料などである。
【００６７】
金属材料の種類は、特に限定されないが、例えば、鉄、銅、真鍮、ステンレス、アルミニウムおよびニッケルなどである。高分子材料の種類は、特に限定されないが、例えば、ポリエチレン、ポリ塩化ビニル、ポリエステルおよびポリカーボネートなどである。セラミック材料の種類は、特に限定されないが、例えば、酸化アルミニウム（アルミナ）、酸化ジルコニウム（ジルコニア）、酸化亜鉛、チタン酸バリウムおよびフェライトなどである。なお、導電性材料が高分子材料を含んでいる場合、その導電性材料は、例えば、高分子材料と共に導電性粒子のうちのいずれか１種類または２種類以上を含んでいてもよい。
【００６８】
金属シャフト３２１の形状は、特に限定されないが、例えば、中空のパイプ状である。金属シャフト３２１の両端部には、例えば、ギア装着用の段差が設けられていてもよいし、ピン穴が設けられていてもよい。
【００６９】
なお、導電性弾性層３２２は、例えば、長手方向における金属シャフト３２１のうちの中央部を被覆している。このため、金属シャフト３２１のうちの両端部は、例えば、導電性弾性層３２２により被覆されておらずに露出している。
【００７０】
導電性弾性層３２２は、例えば、導電性（半導電性）弾性材料のうちのいずれか１種類または２種類以上を含んでいる。この導電性弾性材料は、例えば、ウレタンゴム、アクリロニトリル・ブタジエンゴムとの共重合体（ＮＢＲ）、スチレン・ブタジエンゴム（ＳＢＲ）、エチレン・プロピレン・ブタジエンゴム（ＥＰＤＭ）およびシリコーンゴムなどの高分子材料である。中でも、導電性弾性材料は、ウレタンゴムであることが好ましい。十分な導電性および弾性が得られるからである。
【００７１】
導電性弾性材料がウレタンゴムである場合、そのウレタンゴムは、例えば、ハードセグメントであるポリイソシアネートなどのイソシアネート化合物と、ソフトセグメントである長鎖ポリオールと、鎖延長剤と、架橋剤などとを反応させることにより形成される。
【００７２】
ポリイソシアネートの種類は、特に限定されないが、例えば、芳香族ポリイソシアネートおよび脂肪族ポリイソシアネートなどである。芳香族ポリイソシアネートは、例えば、トリレンジイソシアネート（ＴＤＩ）、ジフェニルメタンイソシアネート（ＭＤＩ）、ポリメチレンポリフェニルポリイソシアネート、トリレンジイソシアネートおよびナフタレンジイソシアネートなどである。脂肪族ポリイソシアネートは、例えば、ヘキサメチレンジイソシアネート（ＨＤＩ）、イソホロンジイソシアネート、キシリレンジイソシアネート、水添キシリレンジイソシアネートおよびテトラメチルヘキサメチレンジイソシアネートなどである。
【００７３】
長鎖ポリオールの種類は、特に限定されないが、例えば、ポリエーテル系ポリオールおよびポリエステル系ポリオールなどである。ポリエーテル系ポリオールは、例えば、エチレングリコール、プロピレングリコール、エチレンジアミン、ジエチルトリアミン、ポリプロピレングリコールおよびポリテトラメチレンエーテルグリコールなどである。ポリエステル系ポリオールは、例えば、低分子ポリオール、ポリカプラクトンおよびポリカーボネートポリオールなどである。
【００７４】
鎖延長剤の種類は、特に限定されないが、例えば、分子量が３００未満であると共に１分子内に２個以上の活性水素を有する化合物などであり、より具体的には、ポリオール、ポリアミン、アミノアルコール、水および尿素などである。
【００７５】
架橋剤の種類は、特に限定されないが、例えば、樹脂系架橋剤などであり、より具体的には、有機イソシアネートがイソシアヌレート化された化合物の他、アミン樹脂などである。この架橋剤は、主に、ハードセグメント同士を架橋させることにより、３次元構造を形成する役割を果たす。
【００７６】
なお、導電性弾性層３２２は、例えば、導電性付与剤のうちのいずれか１種類または２種類以上を含んでいてもよい。導電性弾性層３２２の導電性が向上するからである。導電性付与剤の種類は、特に限定されないが、例えば、電子導電剤およびイオン性導電剤などの導電性フィラーである。
【００７７】
電子導電剤の種類は、特に限定されないが、例えば、炭素材料などであり、より具体的には、カーボンブラック、アセチレンブラック、ファーネスブラックおよびケッチェンブラックなどである。中でも、カーボンブラックが好ましい。
【００７８】
カーボンブラックの具体例は、以下の通りである。三菱化学株式会社製のＮｏ．２３５０、Ｎｏ．８５０、ＭＡ１００およびＭＡ１１などである。東海カーボン株式会社製の＃４５００および＃１０などである。旭カーボン株式会社製のアサヒサーマル、旭＃６０および旭＃７８などである。エボニックデグサ株式会社製のSpecial Black S170，Special Black 550 、Special Black 350 、Special Black 100 およびPrintex 75などである。
【００７９】
イオン性導電剤の種類は、特に限定されないが、例えば、アルカリ金属塩などであり、より具体的には、リチウム塩、ナトリウム塩およびカリウム塩などである。中でも、リチウム塩が好ましい。また、イオン性導電剤の種類は、特に限定されないが、例えば、ハロゲン酸素酸塩、過ハロゲン酸素酸塩、チオシアン酸塩およびリン酸塩などである。中でも、過ハロゲン酸素酸塩が好ましく、過塩素酸リチウムがより好ましい。
【００８０】
ただし、トナーの帯電性を向上させると共に、現像ローラ３２と感光体ドラム３５などとの化学的反応が生じることを抑制するために、導電性弾性層３２２のうちの表面近傍部分の物性は改質されている。このため、導電性弾性層３２２は、例えば、最表層である表面改質層３２２Ｂを含んでいる。上記した「改質」とは、表面近傍部分の組成がそれ以外の部分の組成とは異なっているため、その表面近傍部分の物性がそれ以外の部分の物性とは異なっていることを意味している。また、「最表層」とは、導電性弾性層３２２のうちの最も表面に近い側に位置する層（最上層）であり、言い替えれば、最も外側に位置する層である。
【００８１】
特に、導電性弾性層３２２が表面改質層３２２Ｂを含んでいると、後述する現像ローラ３２の残留電位変化が小さくなりやすい傾向にあり、より具体的には残留電位変化が２Ｖ以下になる。
【００８２】
導電性弾性層３２２の構成は、最表層である表面改質層３２２Ｂを含んでいれば、特に限定されない。ここでは、導電性弾性層３２２は、例えば、金属シャフト３２１に近い側に位置する内部層３２２Ａと、その金属シャフト３２１から遠い側に位置する表面改質層３２２Ｂとを含んでいる。
【００８３】
内部層３２２Ａは、例えば、金属シャフト３２１の表面（外周面）を被覆しており、上記した半導電性のウレタンゴムなどの導電性弾性材料のうちのいずれか１種類または２種類以上を含んでいる。
【００８４】
表面改質層３２２Ｂは、例えば、内部層３２２Ａに隣接されている。この表面改質層３２２Ｂは、例えば、上記した導電性弾性材料のうちのいずれか１種類または２種類以上と共に、内部層３２１Ａに含まれているイソシアネート化合物とは異なる種類のイソシアネート化合物のうちのいずれか１種類または２種類以上を含んでいる。このイソシアネート化合物は、１または２以上のイソシアネート基（−Ｎ＝Ｃ＝Ｏ）を含む化合物であり、例えば、上記したポリイソシアネートなどである。
【００８５】
上記した「表面改質層３２２Ｂ」とは、「導電性弾性層３２２が表面改質層３２２Ｂを含む」という説明から明らかなように、その導電性弾性層３２２のうちの表面近傍部分（最表層）である。すなわち、「表面改質」という名称から明らかなように、表面改質層３２２Ｂは、導電性弾性層３２２のうちの物性が改質された一部（層状領域）である。このため、導電性弾性層３２２中では、表面改質層３２２Ｂとその表面改質層３２２Ｂよりも内側の層（内部層３２２Ａ）との間に物理的な境界（界面）が存在していない。図３において、内部層３２２Ａと表面改質層３２２Ｂとの境界を破線で示しているのは、その境界に界面が存在していなことを表している。
【００８６】
特に、現像ローラ３２の物性、すなわち導電性弾性層３２２のうちの最表層である表面改質層３２２Ｂの物性は、高品質な画像を得るために適正化されている。表面改質層３２２Ｂの物性に関しては、後述する。
【００８７】
この表面改質層３２２Ｂは、例えば、イソシアネート化合物を含む改質処理溶液を用いて形成される。改質処理溶液を用いた表面改質層３２２Ｂの形成手順は、例えば、以下の通りであ
【００８８】
最初に、金属シャフト３２１の表面を被覆するように、上記した導電性弾性材料のうちのいずれか１種類または２種類以上を含む層（以下、「導電性弾性材料層」と呼称する。）を形成する。
【００８９】
続いて、イソシアネート化合物とポリオールと有機溶剤などとを混合したのち、その混合物を撹拌することにより、改質処理溶液を調製する。イソシアネート化合物は、例えば、上記したポリイソシアネートなどのうちのいずれか１種類または２種類以上である。ポリオールは、例えば、上記した長鎖ポリオールなどのうちのいずれか１種類または２種類以上である。ただし、ポリオールは、上記した長鎖ポリオールの他、シロキサン結合を有するポリオールでもよい。有機溶剤は、例えば、非プロトン性極性溶媒などであり、より具体的には、酢酸エチルおよびジメチルホルムアミドなどのうちのいずれか１種類または２種類以上である。
【００９０】
続いて、導電性弾性材料層が形成された金属シャフト３２１を改質処理溶液中に浸漬させることにより、その導電性弾性材料層のうちの表面近傍部分に改質処理溶液を含浸させる。最後に、導電性弾性材料層が形成された金属シャフト３２１を改質処理溶液中から取り出したのち、その導電性弾性材料層に含浸された改質処理溶液を乾燥させる。
【００９１】
これにより、導電性弾性材料層のうちの表面近傍部分が改質されるため、導電性弾性材料を含むと共にイソシアネート化合物を含む内部層３２２Ａが形成されると共に、導電性弾性材料と共に他のイソシアネート化合物を含む表面改質層３２２Ｂが形成される。この「他のイソシアネート化合物」とは、内部層３２２Ａに含まれているイソシアネート化合物とは異なる種類のイソシアネート化合物である。よって、内部層３２２Ａおよび表面改質層３２２Ｂを含む導電性弾性材料層３２２が形成される。
【００９２】
この導電性弾性材料層３２２では、表面改質層３２２Ｂの電気抵抗が内部層３２２Ａの電気抵抗よりも小さくなる。これにより、上記したように、トナーの帯電性が向上すると共に、現像ローラ３２と感光体ドラム３５などとの化学的反応が生じにくくなる。
【００９３】
なお、導電性弾性材料層のうちの表面近傍部分に改質処理溶液を含浸させることにより、導電性弾性層３２２のうちの最表層である表面改質層３２２Ｂを形成可能であれば、その表面改質層３２２Ｂの形成方法は、特に限定されない。具体的には、導電性弾性材料層が形成された金属シャフト３２１を改質処理溶液中に浸漬させる代わりに、例えば、導電性弾性材料の表面に改質処理溶液を塗布したのち、その改質処理溶液を乾燥させてもよい。この改質処理溶液を塗布する方法は、特に限定されないが、例えば、スプレーコート法およびロールコート法などのうちのいずれか１種類または２種類以上である。
【００９４】
＜１−４．現像ローラの物性＞
次に、現像ローラ３２の物性に関して説明する。
【００９５】
現像ローラ３２の物性は、上記したように、高品質な画像を得るために適正化されている。ここで説明する現像ローラ３２の物性とは、その現像ローラ３２のうちの最表層である表面改質層３２２Ｂの物性である。具体的には、現像ローラ３２の物性は、以下の２つの条件を満たしている。
【００９６】
第１に、現像ローラ３２の抽出残渣は、０．２５％以下である。
【００９７】
この抽出残渣とは、上記したように、ＪＩＳ  Ｋ  ６２２９（ゴム−溶剤抽出物の求め方（定量））に準拠して、溶剤としてアセトンを用いて現像ローラ３２（表面改質層３２２Ｂ）をソックスレー抽出することにより求められる。
【００９８】
第２に、現像ローラ３２の残留電位変化は、２Ｖ以下である。
【００９９】
この残留電位変化とは、上記したように、円筒状の金属素巻に圧接された現像ローラ３２に通電しながら、その現像ローラ３２を回転させた場合において、通電前における現像ローラ３２（表面改質層３２２Ｂ）の残留電位と通電後における現像ローラ３２（表面改質層３２２Ｂ）の残留電位との差の絶対値である。すなわち、残留電位変化は、残留電位変化＝｜通電前の残留電位−通電後の残留電位｜により表される。
【０１００】
ただし、現像ローラ３２に対する金属素巻の押し込み量＝０．５ｍｍ、現像ローラ３２の回転速度＝６０ｒｐｍ、現像ローラ３２の回転時間＝２４時間、現像ローラ３２に対する印加電圧＝１００Ｖとする。また、金属素巻の材質は、例えば、アルミニウムなどである。
【０１０１】
ここで説明する残留電位変化は、例えば、上記したように、ＱＥＡ社製の誘電緩和解析システムＤＲＡ−２０００を用いて自動測定される。この場合には、コロナ帯電器および表面電位計を備えた測定ヘッドが現像ローラ３２の長手方向に沿って移動可能である。残留電位の測定時には、コロナ帯電器が現像ローラ３２（表面改質層３２２Ｂ）の表面のうちの特定の領域を放電帯電させたのち、その特定の領域に表面電位計が移動する。これにより、特定の領域に残留している電位（残留電位）が表面電位計により測定される。放電帯電後、電位測定までの時間は、例えば、２秒間とする。
【０１０２】
表面改質層３２２Ｂの物性に関して上記した２つの条件を満たしているのは、後述するようにガラス転移温度Ｔｇが５５℃以下であるトナーを用いても、画像中に横黒筋が発生しにくくなるからである。
【０１０３】
この横黒筋とは、画像中に意図せずに発生する黒色の横線（線状の画質不良）であり、主に、トナーの溶融に起因して発生する。
【０１０４】
詳細には、画像形成装置の使用時において摩擦熱などの熱が発生すると、その熱に起因してトナーが溶融したのち、温度の低下に応じてトナーが固着する場合がある。このトナーが固着する現象は、特に、現像ローラ３２が他の部材に接触している方式（接触現像方式）を採用している場合において発生しやすくなる。接触現像方式を採用している場合には、接触帯電に起因して摩擦熱が発生しやすくなるからである。トナーが固着する対象物は、現像ローラ３２の近傍に配置されている部材および現像ローラ３２に圧接されている部材などであり、例えば、現像ブレード３３、供給ローラ３４および感光体ドラム３５などである。トナーが現像ブレード３３などに固着すると、そのトナーの固着物の存在に起因して幅方向（現像ブレード３３などの長手方向）においてトナーの転写異常が発生するため、画像の形成方向（画像の形成時における媒体Ｍの進行方向）と交差する方向に延在する線状の画質不良（横黒筋）が発生する。
【０１０５】
この横黒筋が発生する傾向は、特に、トナーのガラス転移温度Ｔｇが低い場合において顕著になる。トナーのガラス転移温度Ｔｇが低いほど、そのトナーが溶融しやすくなるからである。中でも、トナーのガラス転移温度Ｔｇが５５℃以下であると、そのトナーが著しく溶融しやすくなるため、横黒筋が発生しやすくなる傾向にある。
【０１０６】
また、横黒筋が発生する傾向は、特に、高温高湿環境中において画像形成装置を用いて画像を連続的に形成した場合において顕著になる。画像形成装置の内部において発生する熱量が増大するため、トナーがより溶融しやすくなるからである。
【０１０７】
しかしながら、現像ローラ３２の抽出残渣が０．２５％以下であると、トナーのガラス転移温度Ｔｇ（５５℃以下）との関係において、現像ローラ３２のうちの最表層である表面改質層３２２Ｂの熱的特性が適正化される。この場合には、画像形成装置の使用時において摩擦熱などの熱が発生しても、表面改質層３２２Ｂを形成している高分子材料中から、トナー同士を接着させる接着剤としての機能を果たす低分子量成分（オリゴマー）が染み出しにくくなる。これにより、トナーが溶融しても、そのトナーの溶融物が現像ブレード３３などに固着しにくくなる。
【０１０８】
しかも、現像ローラ３２の残留電位変化が２Ｖ以下であると、トナーのガラス転移温度Ｔｇ（５５℃以下）との関係において、現像ローラ３２のうちの最表層である表面改質層３２２Ｂの電気的特性が適正化される。この場合には、画像形成装置を用いて連続的に画像を形成しても、その現像ローラ３２の表面における電気的状態（帯電状態など）が変化しにくくなる。これにより、トナーが溶融しても、そのトナーの溶融物が現像ブレード３３などにより固着しにくくなる。
【０１０９】
よって、現像ローラ３２の物性に関して上記した２つの条件を満たしていると、トナーのガラス転移温度Ｔｇが５５℃以下であっても、横黒筋の発生原因であるトナーの固着物が発生しにくくなるため、画像中に横黒筋が発生しにくくなる。この場合には、特に、高温高湿環境中において画像形成装置を用いて画像を連続的に形成しても、画像中に横黒筋が発生しにくくなる。
【０１１０】
なお、現像ローラ３２のゴム硬度は、特に限定されないが、中でも、ＪＩＳ  Ａ  ５０度（ポイント）以下であることが好ましい。現像ローラ３２（表面改質層３２２Ｂ）の表面が適正に軟らかくなるため、現像ローラ３２と現像ブレード３３などとの圧接状態を適正に維持しつつ、画像中に横黒筋が発生しにくくなるからである。
【０１１１】
＜１−５．ブロック構成＞
次に、画像形成装置のブロック構成に関して説明する。
【０１１２】
図４は、画像形成装置のブロック構成を表している。ただし、図４では、既に説明した画像形成装置の構成要素の一部も併せて示している。
【０１１３】
画像形成装置は、例えば、図４に示したように、制御部８１と、インターフェース（Ｉ／Ｆ）制御部８２と、受信メモリ８３と、編集メモリ８４と、パネル部８５と、操作部８６と、各種センサ８７と、帯電電圧制御部８８と、光源制御部８９と、現像電圧制御部９０と、供給電圧制御部９１と、転写電圧制御部９２と、ローラ駆動制御部９３と、ドラム駆動制御部９５と、移動制御部９７と、ベルト駆動制御部９９と、定着制御部１０１とを備えている。
【０１１４】
制御部８１は、主に、画像形成装置の全体の動作を制御する。この制御部８１は、例えば、制御回路、メモリ、入出力ポートおよびタイマなどを含んでいる。制御回路は、例えば、中央演算処理装置（ＣＰＵ）などを含んでいる。メモリは、例えば、リードオンリーメモリ（ＲＯＭ）およびランダムアクセスメモリ（ＲＡＭ）などの記憶素子のうちのいずれか１種類または２種類以上を含んでいる。
【０１１５】
Ｉ／Ｆ制御部８２は、主に、外部装置から画像形成装置に送信されたデータなどの情報を受信する。この外部装置は、例えば、画像形成装置のユーザが使用可能であるパーソナルコンピュータなどであり、その外部装置から画像形成装置に送信される情報は、例えば、画像データなどである。
【０１１６】
受信メモリ８３は、主に、画像形成装置において受信されたデータなどの情報を格納する。
【０１１７】
編集メモリ８４は、主に、受信メモリ８３に格納された画像データが編集処理されたデータ（編集画像データ）などを格納する。この編集画像データは、例えば、画像形成装置において画像を形成するために用いられる。
【０１１８】
パネル部８５は、主に、ユーザが画像形成装置を操作するために必要な情報を表示する表示パネルなどを含んでいる。この表示パネルの種類は、特に限定されないが、例えば、液晶パネルなどである。操作部８６は、主に、画像形成装置の操作時においてユーザにより操作されるボタンなどを含んでいる。
【０１１９】
各種センサ８７は、主に、温度センサ、湿度センサ、濃度センサおよび人感センサなどのうちのいずれか１種類または２種類以上を含んでいる。
【０１２０】
帯電電圧制御部８８は、主に、帯電ローラ３６に印加される電圧などを制御する。光源制御部８９は、主に、光源３８の露光動作などを制御する。現像電圧制御部９０は、主に、現像ローラ３２に印加される電圧などを制御する。供給電圧制御部９１は、主に、供給ローラ３４に印加される電圧などを制御する。転写電圧制御部９２は、主に、１次転写ローラ４５などに印加される電圧などを制御する。これらの一連の電圧は、例えば、制御部８１の指示に応じて設定可能であると共に、その制御部８１の指示に応じて任意に変更可能である。
【０１２１】
なお、図４では図示内容を簡略化しているが、画像形成装置は、例えば、４個の現像部３０（３０Ｋ，３０Ｃ，３０Ｍ，３０Ｙ）に対応する４個の帯電電圧制御部８８を含んでいる。具体的には、例えば、現像部３０Ｋに搭載されている帯電ローラ３６の印加電圧を制御する帯電電圧制御部８８と、現像部３０Ｃに搭載されている帯電ローラ３６の印加電圧を制御する帯電電圧制御部８８と、現像部３０Ｍに搭載されている帯電ローラ３６の印加電圧を制御する帯電電圧制御部８８と、現像部３０Ｙに搭載されている帯電ローラ３６の印加電圧を制御する帯電電圧制御部８８とである。
【０１２２】
ここで帯電電圧制御部８８に関して説明したことは、例えば、光源制御部８９、現像電圧制御部９０、供給電圧制御部９１および転写電圧制御部９２のそれぞれに関しても同様である。すなわち、画像形成装置は、例えば、４個の現像部３０に対応して、４個の光源制御部８９と、４個の現像電圧制御部９０と、４個の供給電圧制御部９１と、４個の転写電圧制御部９２とを含んでいる。
【０１２３】
ローラ駆動制御部９３は、主に、ローラモータ９４を介して現像ローラ３２、供給ローラ３４および帯電ローラ３６などの一連のローラの回転動作などを制御する。ドラム駆動制御部９５は、主に、ドラムモータ９６を介して感光体ドラム３５の回転動作などを制御する。移動制御部９７は、主に、移動モータ９８を介して現像部３０の移動動作などを制御する。ベルト駆動制御部９９は、ベルトモータ１００を介して中間転写ベルト４１の移動動作などを制御する。定着制御部１０１は、主に、サーミスタ１０３により測定された温度に基づいてヒータ１０２の温度を制御すると共に、定着モータ１０３を介して加熱ローラ５１および加圧ローラ５２のそれぞれの回転動作などを制御する。
【０１２４】
帯電電圧制御部８８に関して上記したことは、例えば、ローラ駆動制御部９３、ドラム駆動制御部９５および移動制御部９７のそれぞれに関しても同様である。すなわち、画像形成装置は、例えば、４個の現像部３０に対応して、４個のローラ駆動制御部９３と、４個のドラム駆動制御部９５と、４個の移動制御部９７とを含んでいる。
【０１２５】
＜１−６．トナーの構成＞
次に、トナーの構成に関して説明する。
【０１２６】
イエロートナー、マゼンタトナー、シアントナーおよびブラックトナーのそれぞれは、例えば、一成分現像方式のトナーであり、より具体的には、負帯電のトナーである、
【０１２７】
一成分現像方式とは、トナーに電荷を付与するためのキャリア（磁性粒子）を用いずに、そのトナー自身に適切な帯電量を付与する方式である。これに対して、二成分現像方式とは、上記したキャリアとトナーとを混合することにより、そのキャリアとトナーとの摩擦を利用してトナーに適切な帯電量を付与する方式である。
【０１２８】
トナーの製造方法は、特に限定されない。具体的には、トナーの製造方法は、例えば、粉砕法でもよいし、重合法でもよいし、それら以外の方法でもよい。もちろん、上記した製造方法のうちの２種類以上を併用してもよい。重合法は、例えば、溶解懸濁法などである。
【０１２９】
［イエロートナー］
イエロートナーは、例えば、イエロー着色剤を含んでいる。ただし、イエロートナーは、イエロー着色剤と共に、他の材料のうちのいずれか１種類または２種類以上を含んでいてもよい。
【０１３０】
イエロー着色剤は、例えば、イエロー顔料およびイエロー染料（色素）などのうちのいずれか１種類または２種類以上を含んでいる。イエロー顔料は、例えば、ピグメントイエロー７４などである。イエロー染料は、例えば、Ｃ．Ｉ．ピグメントイエロー７４およびカドミウムイエローなどである。
【０１３１】
他の材料の種類は、特に限定されないが、例えば、結着剤、外添剤、離型剤および帯電制御剤などである。
【０１３２】
結着剤は、主に、イエロー着色剤などを結着させる。この結着剤は、例えば、ポリエステル系樹脂、スチレン−アクリル系樹脂、エポキシ系樹脂およびスチレン−ブタジエン系樹脂などの高分子材料のうちのいずれか１種類または２種類以上を含んでいる。
【０１３３】
中でも、結着剤は、ポリエステル系樹脂を含んでいることが好ましい。ポリエステル系樹脂は、紙などの媒体Ｍに対して高い親和性を有するため、結着剤としてポリエステル系樹脂を含むトナーは、媒体Ｍに定着しやすくなるからである。また、ポリエステル系樹脂は、比較的分子量が小さい場合においても高い物理的強度を有するため、結着剤としてポリエステル系樹脂を含むトナーは、優れた耐久性を有するからである。
【０１３４】
ポリエステル系樹脂の結晶状態は、特に限定されない。このため、ポリエステル系樹脂は、結晶性ポリエステルでもよいし、非晶質ポリエステルでもよいし、双方でもよい。中でも、ポリエステル系樹脂の種類は、結晶性ポリエステルであることが好ましい。イエロートナーが媒体Ｍにより定着しやすくなると共に、そのイエロートナーの耐久性がより向上するからである。
【０１３５】
このポリエステル系樹脂は、例えば、１または２以上のアルコールと１または２以上のカルボン酸との反応物（縮重合体）である。
【０１３６】
アルコールの種類は、特に限定されないが、中でも、２価以上のアルコールおよびその誘導体などであることが好ましい。この２価以上のアルコールは、例えば、エチレングリコール、ジエチレングリコール、トリエチレングリコール、ポリエチレングリコール、プロピレングリコール、ブタンジオール、ペンタンジオール、ヘキサンジオール、シクロヘキサンジメタノール、キシレングリコール、ジプロピレングリコール、ポリプロピレングリコール、ビスフェノールＡ、水添ビスフェノールＡ、ビスフェノールＡエチレンオキサイド、ビスフェノールＡプロピレンオキサイド、ソルビトールおよびグリセリンなどである。
【０１３７】
カルボン酸の種類は、特に限定されないが、中でも、２価以上のカルボン酸およびその誘導体などであることが好ましい。この２価以上のカルボン酸は、例えば、マレイン酸、フマール酸、フタル酸、イソフタル酸、テレフタル酸、コハク酸、アジピン酸、トリメリット酸、ピロメリット酸、シクロペンタンジカルボン酸、無水コハク酸、無水トリメリット酸、無水マレイン酸およびドデセニル無水コハク酸などである。
【０１３８】
外添剤は、主に、イエロートナー同士の凝集などを抑制することにより、そのイエロートナーの流動性を向上させる。この外添剤は、例えば、無機材料および有機材料などのうちのいずれか１種類または２種類以上を含んでいる。無機材料は、例えば、疎水性シリカなどである。有機材料は、例えば、メラミン樹脂などである。
【０１３９】
離型剤は、主に、イエロートナーの定着性および耐オフセット性などを向上させる。この離型剤は、例えば、脂肪族炭化水素系ワックス、脂肪族炭化水素系ワックスの酸化物、脂肪酸エステル系ワックス、脂肪酸エステル系ワックスの脱酸化物などのワックスのうちのいずれか１種類または２種類以上を含んでいる。この他、離型剤は、例えば、上記した一連のワックスのブロック共重合物などでもよい。
【０１４０】
脂肪族炭化水素系ワックスは、例えば、低分子量ポリエチレン、低分子量ポリプロピレン、オレフィンの共重合物、マイクロクリスタリンワックス、パラフィンワックスおよびフィッシャートロプシュワックスなどである。脂肪族炭化水素系ワックスの酸化物は、例えば、酸化ポリエチレンワックスなどである。脂肪酸エステル系ワックスは、例えば、カルナバワックスおよびモンタン酸エステルワックスなどである。脂肪酸エステル系ワックスの脱酸化物は、その脂肪酸エステル系ワックスのうちの一部または全部が脱酸化されたワックスであり、例えば、脱酸カルナバワックスなどである。
【０１４１】
帯電制御剤は、主に、イエロートナーの摩擦帯電性などを制御する。負帯電のトナーに用いられる帯電制御剤は、例えば、アゾ系錯体、サリチル酸系錯体およびカリックスアレン系錯体などのうちのいずれか１種類または２種類以上を含んでいる。
【０１４２】
［マゼンタトナー，シアントナー，ブラックトナー］
マゼンタトナー、シアントナーおよびブラックトナーのそれぞれは、例えば、イエロー着色剤に代えてマゼンタ着色剤、シアン着色剤およびブラック着色剤のそれぞれを含んでいることを除いて、上記したイエロートナーと同様の構成を有している。マゼンタ着色剤（マゼンタ顔料）は、例えば、キナクリドンなどである。シアン着色剤（シアン顔料）は、例えば、フタロシアニンブルー（Ｃ．Ｉ．Ｐｉｇｍｅｎｔ  Ｂｌｕｅ  １５：３）などである。ブラック着色剤（ブラック顔料）は、例えば、カーボンなどである。マゼンタ着色剤（マゼンタ染料）は、例えば、Ｃ．Ｉ．ピグメントレッド２３８などである。シアン着色剤（シアン染料）は、例えば、ピグメントブルー１５：３などである。ブラック着色剤（ブラック染料）は、例えば、カーボンブラックなどであり、そのカーボンブラックは、例えば、ファーネスブラックおよびチャンネルブラックなどである。
【０１４３】
［ガラス転移温度Ｔｇ］
ここで説明するトナーのガラス転移温度Ｔｇは、５５℃以下である。ガラス転移温度Ｔｇが５５℃を超える場合と比較して、トナーがより低温で軟化（溶融）するため、定着温度を低くすることができるからである。この定着温度とは、例えば、定着部５０において媒体Ｍにトナーを定着させるための温度（加熱温度）である。定着温度が低いと、例えば、画像を高速で形成できる点などにおいて、利点が得られる。
【０１４４】
トナーのガラス転移温度Ｔｇは、５５℃以下であれば、特に限定されない。このガラス転移温度Ｔｇは、例えば、トナーの組成に応じて決定される。具体的には、例えば、結着剤として用いられる高分子材料の重量平均分子量を小さくすると、トナーのガラス転移温度Ｔｇが低くなると共に、その高分子材料の重量平均分子量を大きくすると、トナーのガラス転移温度Ｔｇが高くなる。また、例えば、離型剤として用いられるワックスの含有量を多くすると、トナーのガラス転移温度Ｔｇが低くなると共に、そのワックスの含有量を少なくすると、トナーのガラス転移温度Ｔｇが高くなる。
【０１４５】
なお、トナーのガラス転移温度Ｔｇを求めるためには、例えば、示差走査熱量測定（ＤＳＣ：Differential scanning calorimetry ）法などを用いてトナーを分析すればよい。
【０１４６】
＜１−７．動作＞
次に、画像形成装置の動作に関して説明する。
【０１４７】
媒体Ｍの表面に画像を形成する場合において、画像形成装置は、例えば、以下で説明するように、現像処理、１次転写処理、２次転写処理および定着処理をこの順に行うと共に、必要に応じてクリーニング処理を行う。
【０１４８】
［現像処理］
最初に、トレイ１０に収納された媒体Ｍは、送り出しローラ２０により取り出される。送り出しローラ２０により取り出された媒体Ｍは、搬送ローラ６１，６２により搬送経路Ｒ１に沿って矢印Ｆ１の方向に搬送される。
【０１４９】
現像処理では、現像部３０Ｋにおいて、感光体ドラム３５が回転すると、帯電ローラ３６が回転しながら感光体ドラム３５の表面に直流電圧を印加する。これにより、感光体ドラム３５の表面が均一に帯電する。
【０１５０】
続いて、上記した編集画像データに基づいて、光源３８が感光体ドラム３５の表面に光を照射する。これにより、感光体ドラム３５の表面では、光の照射部分において表面電位が減衰（光減衰）するため、その感光体ドラム３５の表面に静電潜像が形成される。
【０１５１】
一方、現像部３０Ｋでは、カートリッジ３９に収納されているブラックトナーが供給ローラ３４に向けて放出される。
【０１５２】
供給ローラ３４に電圧が印加されたのち、その供給ローラ３４が回転する。これにより、カートリッジ３９からブラックトナーが供給ローラ３４の表面に供給される。
【０１５３】
この場合には、現像ローラ３２に電圧が印加されたのち、その現像ローラ３２が供給ローラ３４に圧接されながら回転する。これにより、供給ローラ３４の表面に供給されたブラックトナーが現像ローラ３２の表面に吸着するため、そのブラックトナーが現像ローラ３２の回転を利用して搬送される。この場合には、現像ローラ３２の表面に吸着されているブラックトナーの一部が現像ブレード３３により除去されるため、その現像ローラ３２の表面に吸着されたブラックトナーの厚さが均一化される。
【０１５４】
現像ローラ３２に圧接されながら感光体ドラム３５が回転したのち、その現像ローラ３２の表面に吸着されていたブラックトナーが感光体ドラム３５の表面に移行する。これにより、感光体ドラム３５の表面（静電潜像）にブラックトナーが付着する。
【０１５５】
［１次転写処理］
転写部４０において、駆動ローラ４２が回転すると、その駆動ローラ４２の回転に応じて従動ローラ４３およびバックアップローラ４４が回転する。これにより、中間転写ベルト４１が矢印Ｆ５の方向に移動する。
【０１５６】
１次転写処理では、１次転写ローラ４５Ｋに電圧が印加されている。この１次転写ローラ４５Ｋは、中間転写ベルト４１を介して感光体ドラム３５に圧接されているため、上記した現像処理において感光体ドラム３５の表面（静電潜像）に付着されたブラックトナーは、中間転写ベルト４１の表面に転写される。
【０１５７】
こののち、ブラックトナーが転写された中間転写ベルト４１は、引き続き矢印Ｆ５の方向に移動する。これにより、現像部３０Ｃ，３０Ｍ，３０Ｙおよび１次転写ローラ４５Ｃ，４５Ｍ，４５Ｙにおいて、上記した現像部３０Ｋおよび１次転写ローラ４５Ｋと同様の手順により現像処理および１次転写処理が行われる。よって、中間転写ベルト４１の表面にシアントナー、マゼンタトナーおよびイエロートナーが転写される。
【０１５８】
具体的には、現像部３０Ｃおよび１次転写ローラ４５Ｃにより、中間転写ベルト４１の表面にシアントナーが転写される。続いて、現像部３０Ｍおよび１次転写ローラ４５Ｍにより、中間転写ベルト４１の表面にマゼンタトナーが転写される。続いて、現像部３０Ｙおよび１次転写ローラ４５Ｙにより、中間転写ベルト４１の表面にイエロートナーが転写される。
【０１５９】
もちろん、実際に現像部３０Ｃ，３０Ｍ，３０Ｙおよび１次転写ローラ４５Ｃ，４５Ｍ，４５Ｙのそれぞれにおいて現像処理および１次転写処理が行われるかどうかは、画像を形成するために必要な色（色の組み合わせ）に応じて決定される。
【０１６０】
［２次転写処理］
搬送経路Ｒ１に沿って搬送される媒体Ｍは、バックアップローラ４４と２次転写ローラ４６との間を通過する。
【０１６１】
２次転写処理では、２次転写ローラ４６に電圧が印加されている。この２次転写ローラ４６は、媒体Ｍを介してバックアップローラ４４に圧接されるため、上記した１次転写処理において中間転写ベルト４１に転写されたトナーは、媒体Ｍに転写される。
【０１６２】
［定着処理］
２次転写処理において媒体Ｍにトナーが転写されたのち、その媒体Ｍは、引き続き搬送経路Ｒ１に沿って矢印Ｆ１の方向に搬送されるため、定着部５０に投入される。
【０１６３】
定着処理では、加熱ローラ５１の表面温度が所定の温度となるように制御されている。加熱ローラ５１に圧接されながら加圧ローラ５２が回転すると、その加熱ローラ５１と加圧ローラ５２との間を通過するように媒体Ｍが搬送される。
【０１６４】
これにより、媒体Ｍの表面に転写されたトナーが加熱ローラ５１により加熱されるため、そのトナーが溶融する。しかも、溶融状態であるトナーが加圧ローラ５２により媒体Ｍに対して圧接されるため、そのトナーが媒体Ｍに対して強固に付着する。
【０１６５】
よって、編集画像データに応じて、媒体Ｍの表面のうちの特定の領域に特定のパターンとなるようにトナーが定着するため、画像が形成される。
【０１６６】
画像が形成された媒体Ｍは、搬送経路Ｒ２に沿って搬送ローラ６３，６４により矢印Ｆ２の方向に搬送される。これにより、媒体Ｍは、排出口１Ｈからスタッカ部２に排出される。
【０１６７】
なお、媒体Ｍの搬送手順は、その媒体Ｍの表面に形成される画像の様式に応じて変更される。
【０１６８】
例えば、媒体Ｍの両面に画像が形成される場合には、定着部５０を通過した媒体Ｍは、搬送経路Ｒ３〜Ｒ５に沿って搬送ローラ６５〜６８により矢印Ｆ３，Ｆ４の方向に搬送されたのち、搬送経路Ｒ１に沿って搬送ローラ６１，６２により再び矢印Ｆ１の方向に搬送される。この場合において、媒体Ｍが搬送される方向は、搬送路切り替えガイド７１，７２により制御される。これにより、媒体Ｍの裏面（未だ画像が形成されていない面）において、現像処理、１次転写処理、２次転写処理および定着処理が行われる。
【０１６９】
［クリーニング処理］
現像部３０（３０Ｋ，３０Ｃ，３０Ｍ，３０Ｙ）では、感光体ドラム３５の表面に不要なトナーが残留する場合がある。この不要なトナーは、例えば、１次転写処理において用いられたトナーの一部などであり、より具体的には、中間転写ベルト４１に転写されずに感光体ドラム３５の表面に残留したトナーなどである。
【０１７０】
そこで、現像部３０では、クリーニングブレード３７に圧接されている状態において感光体ドラム３５が回転するため、その感光体ドラム３５の表面に残留しているトナーがクリーニングブレード３７により掻き取られる。よって、感光体ドラム３５の表面から不要なトナーが除去される。
【０１７１】
また、転写部４０では、１次転写処理において中間転写ベルト４１の表面に移行したトナーの一部が２次転写処理において媒体Ｍの表面に移行されずに、その中間転写ベルト４１の表面に残留する場合がある。
【０１７２】
そこで、転写部４０では、中間転写ベルト４１が矢印Ｆ５の方向に移動する際に、その中間転写ベルト４１の表面に残留したトナーがクリーニングブレード４７により掻き取られる。よって、中間転写ベルト４１の表面から不要なトナーが除去される。
【０１７３】
これにより、画像の形成動作が完了する。
【０１７４】
＜１−８．作用および効果＞
この画像形成装置では、現像ローラ３２が静電潜像にトナーを付着させており、トナーのガラス転移温度Ｔｇが５５℃以下、現像ローラ３２の抽出残渣が０．２５％以下、現像ローラ３２の残留電位変化が２Ｖ以下である。すなわち、現像ローラ３２のうちの最表層である表面改質層３２２Ｂの抽出残渣が０．２５％以下であると共に、その表面改質層３２２Ｂの残留電位変化が２Ｖ以下である。
【０１７５】
この場合には、上記したように、画像形成装置の使用時において摩擦熱などの熱が発生しても、現像ローラ３２を形成している高分子材料中から低分子量成分（オリゴマー）が染み出しにくくなる。しかも、画像形成装置を用いて連続的に画像を形成しても、現像ローラ３２の表面における帯電状態などが変化しにくくなる。これにより、トナーが溶融しても、そのトナーの溶融物が現像ローラ３２以外の部材に固着しにくくなる。よって、トナーの溶融物が現像ローラ３２以外の部材に固着することに起因して画像中に横黒筋が発生することは抑制されるため、高品質な画像を得ることができる。
【０１７６】
特に、導電性弾性層３２２がイソシアネート化合物を含有する表面改質層３２２Ｂを含んでいれば、現像ローラ３２の残留電位変化が小さくなるため、上記した残留電位変化に関する条件（２Ｖ以下）を満たしやすくなる。よって、現像ローラ３２に関する上記した２つの条件を満たしやすくなるため、より高い効果を得ることができる。
【０１７７】
また、現像ローラ３２の表面に供給されるトナーの厚さが現像ブレード３３により規制されていれば、トナーの溶融物が現像ブレード３３に固着しにくくなる。よって、トナーの溶融物が現像ブレード３３に固着することに起因して画像中に横黒筋が発生することは抑制されるため、より高い効果を得ることができる。
【０１７８】
また、現像ローラ３２に感光体ドラム３５が圧接されていれば、トナーの溶融物が感光体ドラム３５に固着しにくくなる。よって、トナーの溶融物が感光体ドラム３５に固着することに起因して画像中に横黒筋が発生することは抑制されるため、より高い効果を得ることができる。
【０１７９】
また、現像ローラ３２に供給ローラ３４が圧接されていれば、トナーの溶融物が供給ローラ３４に固着しにくくなる。よって、トナーの溶融物が供給ローラ３４に固着することに起因して画像中に横黒筋が発生することは抑制されるため、より高い効果を得ることができる。
【０１８０】
また、現像ローラ３２（表面改質層３２２Ｂ）のゴム硬度がＪＩＳ  Ａ  ５０度以下であれば、現像ローラ３２と現像ブレード３３などとの圧接状態を適正に維持しつつ、画像中に横黒筋が発生しにくくなるため、より高い効果を得ることができる。
【０１８１】
＜２．変形例＞
画像形成装置の構成および動作などは、以下で説明するように、適宜変更可能である。
【０１８２】
具体的には、現像ローラ３２の近傍に現像ブレード３３が配置されている場合に関して説明したが、例えば、現像ローラ３２の近傍に他の部材が配置されていてもよい。この場合においても、トナーの溶融物が他の部材に固着しにくくなるため、同様の効果を得ることができる。
【０１８３】
また、現像ローラ３２に感光体ドラム３５および供給ローラ３４のそれぞれが圧接されている場合に関して説明したが、例えば、現像ローラ３２に他の部材が圧接されていてもよい。この場合においても、トナーの溶融物が他の部材に固着しにくくなるため、同様の効果を得ることができる。
【０１８４】
また、ガラス転移温度Ｔｇが５５℃以下であるトナーを用いる場合に関して説明したが、例えば、ガラス転移温度Ｔｇが５５℃を越えるトナーを用いてもよい。この場合においても、画像中に横黒筋が発生しにくくなるため、同様の効果を得ることができる。詳細には、現像ローラ３２の物性に関して上記した２つの条件を満たしている場合には、トナーのガラス転移温度Ｔｇが５５℃以下であるため、そのトナーが溶融しやすい場合においても、画像中に横黒筋が発生しにくくなる。一方、現像ローラ３２の物性に関して上記した２つの条件を満たしている場合には、トナーのガラス転移温度Ｔｇが５５℃を越えているため、そのトナーが溶融しにくい場合には当然ながら、画像中に横黒筋が発生しにくくなる。よって、同様の効果を得ることができるのである。
【実施例】
【０１８５】
本発明の実施例に関して、詳細に説明する。なお、説明する順序は、下記の通りである。
１．現像ローラの製造
２．画像の評価
３．考察
【０１８６】
＜１．現像ローラの製造＞
まず、現像ローラを製造した。
【０１８７】
（実験例１〜８）
以下の手順により、導電性弾性層（内部層および表面改質層）を含む現像ローラを製造した。
【０１８８】
最初に、ポリエーテル系ポリオール（三洋化成株式会社製のＧＰ−３０００）１００質量部と、過塩素酸リチウム０．５質量部とを混合したのち、その混合物を撹拌した。続いて、混合物を温調（温度＝８０℃）したのち、減圧環境中において混合物を脱泡・脱水処理（処理時間＝６時間）することにより、溶液Ａを得た。
【０１８９】
続いて、プレ樹脂（ユニロイヤル株式会社製のアジプレン−Ｌ１００）７０質量と、イソシアネート化合物であるイソシアネート（日本ポリウレタン株式会社製のコロネートＣ−ＨＸ）２０質量部とを混合したのち、その混合物を温調（温度＝８０℃）することにより、溶液Ｂを得た。
【０１９０】
続いて、溶液Ａと溶液Ｂとを混合することにより、混合溶液を得た。この場合には、溶液Ａと溶液Ｂとの混合比（重量比）を溶液Ａ：溶液Ｂ＝１：１とした。
【０１９１】
続いて、内壁面にポリプロピレン製の押し出しチューブ（外径＝２０ｍｍ）が設けられた鉄製のパイプ金型（内径＝２０ｍｍ）をあらかじめ加熱（温度＝１１０℃）しておき、そのパイプ金型の内部にアルミニウム製の金属シャフト（外径＝１０ｍｍ）を挿入したのち、そのパイプ金型を加熱（加熱温度＝１１０℃，加熱時間＝１２０分間）した。この場合には、パイプ金型の内部における中央に金属シャフトを配置した。
【０１９２】
続いて、パイプ金型の内部に混合溶液を注入したのち、その混合溶液を加熱（加熱温度＝１１０℃，加熱時間＝１２０分間）した。これにより、金属シャフトの表面のうちの中央部（両端部を除く部分）を被覆するように導電性弾性材料層（導電性ポリウレタン層）が形成されたため、円筒状のローラ成型体が得られた。
【０１９３】
続いて、円筒研削盤を用いてローラ成型体の外周面を粗研磨したのち、テープ研磨機（砥粒の番手＝＃６００番手）を用いてローラ成型体の外周面を仕上げ研磨することにより、研磨済みのローラ成型体（外径＝１６ｍｍ）を得た。
【０１９４】
続いて、酢酸エチル１００質量部と、他のイソシアネート化合物であるジフェニルメタンジイソシアネート（ＭＤＩ）２０質量部と、カーボンブラック（三菱化学株式会社製のＮｏ．ＭＡ７７，比表面積＝１３０ｍ2 ／ｇ）１０質量部と、シリコーングラフトアクリル樹脂（日本油脂株式会社製のモディパーＦＳ７００）０．７質量部と、ポリエチレングリコール（日本油脂株式会社製のＰＥＧ４００）２質量部とを混合したのち、その混合物を撹拌することにより、改質処理溶液を得た。
【０１９５】
続いて、改質処理溶液（温度＝２３℃）中にローラ成型体を浸漬（浸漬時間＝３０秒間）させることにより、導電性弾性材料層のうちの表面近傍部分に改質処理溶液を含漬させた。最後に、改質処理溶液からローラ成型体を取り出したのち、オーブン（温度＝１２０℃）中においてローラ成型体を加熱（加熱時間＝１時間）した。これにより、導電性弾性材料層のうちの表面近傍部分が改質されたため、内部層および表面改質層を含む導電性弾性層が形成された。よって、現像ローラが完成した。
【０１９６】
現像ローラを製造する場合には、改質処理溶液の組成（他のイソシアネート化合物の混合比など）を変更することにより、現像ローラに関する抽出残渣（％）および残留電位変化（Ｖ）のそれぞれを変化させた。抽出残渣および残留電位変化のそれぞれに関する詳細は、表１に示した通りである。ここで製造された現像ローラの最表層は、導電性弾性層のうちの表面改質層であるため、上記した抽出残渣（％）および残留電位変化（Ｖ）のそれぞれは、その表面改質層の物性である。
【０１９７】
（実験例９〜１１）
表面改質層および内部層を含む導電性弾性層を形成する代わりに、導電性弾性材料層の上にコート層を形成したことを除いて、実験例１〜８と同様の手順により、現像ローラを製造した
【０１９８】
コート層を形成する場合には、導電性弾性材料層の表面にシリコーン系材料（日油株式会社製のアクリルシリコーン系ポリマー  モディパーＦＳ７００）を塗布したのち、そのシリコーン系材料を乾燥させた。この場合には、シリコーン系材料の塗布量（厚さ）を変更することにより、抽出残渣（％）および残留電位変化（Ｖ）のそれぞれを変化させた。抽出残渣および残留電位変化のそれぞれに関する詳細は、表１に示した通りである。ここで製造された現像ローラの最表層は、導電性弾性材料層の上に形成されたコート層であるため、上記した抽出残渣（％）および残留電位変化（Ｖ）のそれぞれは、そのコート層の物性である。この現像ローラでは、導電性弾性材料層を形成したのち、その導電性弾性材料層の上にコート層を形成しているため、その導電性弾性材料層とコート層との境界に界面が存在している。
【０１９９】
【表１】
2018017916.tif 000003
【０２００】
＜２．画像の評価＞
以下の手順により、上記した現像ローラが搭載された画像形成装置を用いて媒体の表面に画像を形成したのち、その画像の品質（画質）を評価した。
【０２０１】
画像を形成する場合には、画像形成装置として、図１および図２に示した構成を有する株式会社沖データ製のカラープリンタＭＣ８６３を用いると共に、媒体として、株式会社沖データ製のカラープリンタ用紙  エクセレントホワイトＡ４を用いた。また、トナーとして、非磁性一成分の負帯電粉砕トナー（シアントナー）を用いると共に、画像として、ベタ画像（印字率＝１００％）を形成した。
【０２０２】
この場合には、高温高湿条件（温度＝２８℃、湿度＝８０％）の環境中において画像形成装置を用いて連続的に画像（ドラムカウント数＝４０００）を形成したのち、同環境中において画像形成装置を放置（放置時間＝１２時間）した。こののち、同環境中において画像形成装置を用いて評価用の画像（ドラムカウント数＝１）を形成した。評価用の画像を形成するために放置後の画像形成装置を用いているのは、意図的に画像中に横黒筋が発生しやすい環境（厳しい条件）を設定しているからである。なお、画像の形成方向は、媒体の長手方向とした。
【０２０３】
シアントナーの構成は、以下の通りである。
シアン着色剤：フタロシアニンブルー（Ｃ．Ｉ．Ｐｉｇｍｅｎｔ  Ｂｌｕｅ  １５：３）  ４質量部
結着剤：非晶質ポリエステル（花王株式会社製のＯＣＲ−４０）  ７０質量部、非晶質ポリエステル（花王株式会社製のＯＣＲ−４）  ２０質量部および結晶性ポリエステル（花王株式会社製のＯＣＲ−１３）  １０質量部
外添剤：疎水性シリカ（日本アエロジル株式会社製のＲ９７２）  ２．５質量部および疎水性シリカ（日本アエロジル株式会社製のＲＹ−５０）  ２質量部
離型剤：株式会社加藤洋行製のカルナウバワックス１号  ３質量部
帯電制御剤：オリエント化学工業株式会社製のボントロンＥ−８４  ０．２質量部
【０２０４】
シアントナーとしては、ガラス転移温度Ｔｇ（℃）が互いに異なる４種類のシアントナーを用いた。この４種類のシアントナーでは、結着剤として用いられている高分子材料（非晶質ポリエステルおよび結晶性ポリエステル）の重量平均分子量などが互いに異なっているため、ガラス転移温度Ｔｇが互いに異なっている。ガラス転移温度Ｔｇに関する詳細は、表１に示した通りである。
【０２０５】
画質を調べる場合には、放置後の画像形成装置を用いて形成された評価用の画像を目視で確認することにより、画質を評価したところ、表１に示した結果が得られた。この場合には、画像中に横黒筋が発生していない場合を「Ａ」と評価すると共に、画像中に横黒筋が発生している場合を「Ｃ」と評価した。
【０２０６】
ここで、図５は、画質に関する不具合（横黒筋Ｌ）を説明するために、画像が形成された媒体Ｍの平面構成を表している。ただし、図５では、画像（ベタ画像）の形成範囲に網掛けを施している。横黒筋Ｌとは、図５に示したように、画像形成時における媒体Ｍの進行方向（＝媒体Ｍの長手方向）と交差する方向（媒体Ｍの短手方向）に延在する黒い線であり、その横黒筋Ｌは、所定の周期ごとに発生する。横黒筋Ｌの発生周期は、トナーの固着物の存在に起因して、現像ローラの外周長さに等しくなる。
【０２０７】
＜３．考察＞
表１から明らかなように、現像ローラの構成および物性と画質との関係を調べたところ、その現像ローラの構成および物性に関して所定の条件が満たされていると、優れた画質が得られた。
【０２０８】
具体的には、現像ローラがコート層を含んでいる場合（実験例９〜１１）には、抽出残渣および残留電位変化のそれぞれに依存せずに、画像中に横黒筋が発生しなかった。すなわち、コート層を用いた場合には、抽出残渣および残留電位変化のそれぞれを適正化しなくても、優れた画質が得られた。コート層がブロッキング層として機能することに起因して、導電性弾性材料層を形成している高分子材料中から低分子量成分（オリゴマー）が現像ローラの表面に染み出しにくいため、トナーの溶融物が現像ブレードなどに固着しにくいからであると考えられる。このコート層を用いた場合の残留電位変化は、抽出残渣に依存せずに、一律に１０Ｖ以上であった。
【０２０９】
これに対して、現像ローラが表面改質層を含んでいる場合（実験例１〜８）には、抽出残渣および残留電位変化のそれぞれによっては、画像中に横黒筋が発生した。すなわち、表面改質層を用いた場合には、抽出残渣および残留電位変化のそれぞれを適正化することにより、画像中に横黒筋が発生しなくなるため、優れた画質が得られると考えられた。
【０２１０】
そこで、以下で説明するように、表面改質層を用いた場合において、画像中に横黒筋が発生しなくなる条件（抽出残渣および残留電位変化）を検討した。
【０２１１】
第１に、表面改質層を用いた場合には、トナーのガラス転移温度Ｔｇが低くなるにしたがって、画像中に横黒筋が発生しやすくなった。この場合には、特に、トナーのガラス転移温度Ｔｇが５５℃以下であると、画像形成装置の使用時において発生する摩擦熱などに起因してトナーが著しく溶融しやすい傾向にあった。そこで、画像中に横黒筋が発生しなくなる条件を検討する場合には、トナーのガラス転移温度Ｔｇが５５℃以下である場合の画質に着目した。
【０２１２】
第２に、表面改質層を用いた場合の残留電位変化は、コート層を用いた場合とは異なり、抽出残渣に依存せずに、一律に２Ｖ以下であった。すなわち、表面改質層を用いた場合には、コート層を用いた場合と比較して、残留電位変化が大幅に小さくなった。
【０２１３】
第３に、表面改質層を用いた場合の画質は、抽出残渣に応じて変動した。しかしながら、トナーのガラス転移温度Ｔｇが５５℃以下である場合には、抽出残渣が０．２５％以下であると、画像中に横黒筋が発生しなかった。
【０２１４】
これらの検討結果を踏まえると、トナーのガラス転移温度Ｔｇが５５℃以下である場合には、抽出残渣が０．２５％以下であると共に残留電位変化が２Ｖ以下であると、画像中に横黒筋が発生しなかった。
【０２１５】
表１に示した結果から、ガラス転移温度Ｔｇが５５℃以下であるトナーを用いても、現像ローラに関する抽出残渣が０．２５％以下であると共に残留電位変化が２Ｖ以下であると、画像中に横黒筋が発生しなかったため、高品質な画像が得られた。
【０２１６】
以上、一実施形態を挙げながら本発明を説明したが、本発明は上記した一実施形態において説明した態様に限定されず、種々の変形が可能である。
【０２１７】
具体的には、例えば、本発明の一実施形態の画像形成装置の画像形成方式は、中間転写ベルトを用いた中間転写方式に限られず、他の画像形成方式でもよい。他の画像形成方式は、例えば、中間転写ベルトを用いない画像形成方式などである。中間転写ベルトを用いない画像形成方式では、潜像に付着されたトナーが媒体に対して中間転写ベルトを介して間接的に転写されず、その潜像に付着されたトナーが媒体に対して直接的に転写される。
【０２１８】
また、例えば、本発明の一実施形態の画像形成装置は、プリンタに限られず、複写機、ファクシミリおよび複合機などでもよい。
【符号の説明】
【０２１９】
３０…現像部、３２…現像ローラ、３３…現像ブレード、３４…供給ローラ、３５…感光体ドラム、３９…カートリッジ、４０…転写部、５０…定着部、１００…現像デバイス、２００…現像ユニット、３２１…金属シャフト、３２２…導電性弾性層、３２２Ａ…内部層、３２２Ｂ…表面改質層、Ｍ…媒体。
【図１】
2018017916.tif 000004
【図２】
2018017916.tif 000005
【図３】
2018017916.tif 000006
【図４】
2018017916.tif 000007
【図５】
2018017916.tif 000008